(57)【特許請求の範囲】
【請求項１】
セメントを主材とする外装板の基板をその裏面を下方に向けて搬送する搬送ラインと、その搬送ラインに沿って搬送される基板の裏面に防水剤を塗布する塗布ロールとを備えている建築用外装板の塗装設備であって、
前記基板の裏面に塗布された防水剤を均して仕上げるスポンジロールで構成された仕上げロールが、前記搬送ラインに設けられ、その仕上げロールよりも前記搬送ラインの搬送方向上手側において、前記仕上げロールよりも柔らかい軟質の塗布ロールが設けられ、前記塗布ロールと前記仕上げロールとは、その下部の一部が防水剤に浸されており、前記仕上げロールが、その仕上げロールの外周に接触して仕上げロールに付着した防水剤を絞りとる絞りロールを備えていて、前記絞りロールは、その横幅が前記スポンジロールの横幅よりも長く設定されている建築用外装板の塗装設備。
【請求項２】
前記塗布ロールと仕上げロールが、前記搬送方向視において前記基板の横幅よりも長い横幅を有している請求項１に記載の建築用外装板の塗装設備。
【発明の詳細な説明】
【０００１】
【発明の属する技術分野】
本発明は、セメントを主材とする外装板の基板をその裏面を下方に向けて搬送する搬送ラインと、その搬送ラインに沿って搬送される基板の裏面に防水剤を塗布する塗布ロールとを備えている建築用外装板の塗装設備に関する。
【０００２】
【従来の技術】
セメントを主材とする建築用外装板としては、屋根材や壁材などがあり、たとえ裏面であっても、雨水などに接触する可能性があるため、外装板の基板裏面に塗布ロールにより防水剤を塗布することが実施されている。
そのための塗装設備は、図５の（イ）、（ロ）に示すように、多数の基板１をその裏面３を下方に向けて連続的に搬送する搬送ライン４を備え、その搬送ライン４の下方に液状の防水剤６を収納する液槽５を配置し、搬送ライン４と液槽５との間に回転駆動される鉄ロール１３と、絞りロール１４を備えた塗布ロール１５を配設し、塗布ロール１５の下方部分を防水剤６に浸しながら、その塗布ロール１５により各基板１の裏面３に防水剤６を塗布するように構成したものが知られている。
【０００３】
この従来の装置では、塗布ロール１５が、鉄心の周りに硬質のスポンジを巻き付けたスポンジ製のロールで構成され、図５の（イ）に示すように、鉄ロール１３よりも搬送方向の下手側に１本だけ配設されたものや、図５の（ロ）に示すように、２本配設されたものがあるが、いずれの装置においても、塗布ロール１５が、硬質のスポンジを使用した比較的硬いロールで構成されていた。
【０００４】
【発明が解決しようとする課題】
ところが、セメントを主材とする外装板の基板１においては、乾燥の状態などによって基板１に反りが生じることがあり、その反りは、図６の（イ）、（ロ）に示すように、基板１の横幅ｄ方向に沿って生じることが多い。また、たとえ反りが生じなくても、搬送ライン４に沿って搬送される際に、その基板１が上下に振動することもある。
したがって、従来のように、塗布ロール１５が硬いと、基板１に反りが生じたり、搬送時に上下に振動する場合、塗布ロール１５が基板１の裏面３の全面積にわたって確実に接触せず、防水剤６の塗布むらが生じるという欠点があった。
【０００５】
本発明は、このような従来の欠点に着目したもので、その目的は、たとえ外装板の基板に反りがあっても、また、搬送ラインに沿っての搬送時に上下に振動しても、塗布ロールを基板裏面の全面積にわたってより一層確実に接触させ得るようにし、基板裏面への防水剤の塗布を良好に行い得る建築用外装板の塗装設備を提供することにある。
【０００６】
【課題を解決するための手段】
〔構成〕
請求項１の発明の特徴構成は、図１〜図４に例示するごとく、セメントを主材とする外装板の基板１をその裏面３を下方に向けて搬送する搬送ライン４と、その搬送ライン４に沿って搬送される基板１の裏面３に防水剤６を塗布する塗布ロール７，７ａとを備えている建築用外装板の塗装設備であって、前記基板１の裏面３に塗布された防水剤６を均して仕上げるスポンジロールで構成された仕上げロール８が、前記搬送ライン４に設けられ、その仕上げロール８よりも前記搬送ライン４の搬送方向上手側において、前記仕上げロール８よりも柔らかい軟質の塗布ロール７，７ａが設けられ、前記塗布ロールと前記仕上げ
ロールとは、その下部の一部が防水剤に浸されており、前記仕上げロール８が、その仕上げロール８の外周に接触して仕上げロール８に付着した防水剤６を絞り取る絞りロール９を備えていて、前記絞りロール９は、その横幅が前記スポンジロールの横幅よりも長く設定されているところにある。
【０００８】
請求項２の発明の特徴構成は、図２に例示するごとく、前記塗布ロール７と仕上げロール８が、前記搬送方向視において前記基板１の横幅ｄよりも長い横幅Ｄを有しているところにある。
【０００９】
なお、上述のように、図面との対照を便利にするために符号を記したが、該記入により本発明は添付図面の構成に限定されるものではない。
【００１０】
〔作用及び効果〕
請求項１の発明の特徴構成によれば、セメントを主材とする外装板の基板の裏面に塗布された防水剤を均して仕上げる仕上げロールが、基板の搬送ラインに設けられ、その仕上げロールよりも搬送ラインの搬送方向上手側に塗布ロールが設けられているので、たとえ塗布ロールによって基板の裏面に必要量以上の防水剤を塗布しても、搬送方向下手側に位置する仕上げロールが、塗布された防水剤を均しながら防水剤の一部を除去して、基板の裏面を美麗に仕上げることになる。
そして、その塗布ロールとして、仕上げロールよりも柔らかい軟質の塗布ロールが設けられているので、たとえ基板に反りがあっても、また、搬送時に多少上下に振動しても、その柔らかい軟質の塗布ロールが、基板裏面の全面積にわたって確実に接触して、必要量以上の防水剤を塗布することになり、上述した仕上げロールの作用によって、基板裏面の全面積にわたって適量の防水剤を塗布することが可能になる。
【００１１】
また、仕上げロールが、その仕上げロールの外周に接触して仕上げロールに付着した防水剤を絞り取る絞りロールを備えているので、基板裏面から除去した際に仕上げロール外周に付着した防水剤は、その絞りロールにより確実に絞り取られることになり、その後における基板裏面の仕上げを所望通りに行うことができる。
【００１２】
請求項２の発明の特徴構成によれば、塗布ロールと仕上げロールが、搬送ラインの搬送方向視において基板の横幅よりも長い横幅を有しているので、基板を安定良く搬送しながら、基板裏面への防水剤の塗布と、その防水剤の均しによる仕上げとを確実に行うことができる。
【００１３】
【発明の実施の形態】
本発明による建築用外装板の塗装設備につき、その実施の形態を図面に基づいて説明する。
建築用外装板としては、屋根材や壁材などがあり、例えば、屋根材の場合であれば、図２に示すように、セメントを主材とする屋根材の基板１が、平面視において五角形に形成されている。
この五角形の基板１は、図外の表面用塗装設備により、上方に面する表面２に下塗りと上塗り塗装が施され、下方に面する裏面３にも、図１および図２に示す裏面用塗装設備により防水剤が塗布される。
【００１４】
この裏面用塗装設備は、多数の基板１をその裏面３を下方に向けて連続的に搬送する搬送ライン４を備え、その搬送ライン４の下方には、図１に詳しく示すように、上方が開口した防水剤用の液槽５が配置され、液状のアクリル系あるいはシラン系などの防水剤６が収納されて、防水剤６の粘度や水位などが、図外の制御装置によってほぼ一定に維持されている。
前記搬送ライン４と液槽５の間には、その搬送ライン４に沿って、塗布ロールとしてのモールロール７と、仕上げロールとしてのスポンジロール８とが２本ずつ配設され、２本のスポンジロール８には、それぞれ絞りロール９が設けられている。
【００１５】
前記モールロール７は、それぞれ鉄心１０と鉄心１０の周りに巻き付けられた繊維材１１とで構成され、基板１の裏面３に防水剤６を十分に塗布するため、比較的柔らかく、かつ、防水剤６を十分に吸収するように構成されて、その下部の一部が防水剤６に浸されている。
スポンジロール８は、鉄心１０と硬質のスポンジ１２とで構成され、２本のモールロール７によって基板１の裏面３に十分に塗布された防水剤６を均して仕上げるため、モールロール７に比較してかなり硬く、かつ、このスポンジロール８も下部の一部が防水剤６に浸されている。
絞りロール９は、金属製のロールで、各スポンジロール８の搬送方向前方側に配設されて、各絞りロール９が、スポンジロール８の外周に接触してスポンジロール８に付着した防水剤６を絞り取るように構成されている。
【００１６】
そして、基板１を搬送する搬送ライン４において、２本のモールロール７が、その搬送方向の上手側に配設され、絞りロール９を備えた２本のスポンジロール８が、２本のモールロール７よりも搬送方向下手側に配設されて、各モールロール７とスポンジロール８とが、図外の駆動装置により図中の矢印方向にそれぞれ回転駆動されるように構成され、絞りロール９については、スポンジロール８との接触によって回転するように遊転式に構成されている。
これらモールロール７とスポンジロール８とは、搬送ライン４の搬送方向視において、基板１の横幅ｄよりも長い横幅Ｄを有し、基板１が、各ロール７，８の横幅Ｄ内において搬送されるように構成され、絞りロール９については、その横幅がスポンジロール８の横幅Ｄよりも多少長くなるように構成されている。
【００１７】
この塗装設備によれば、多数の基板１が、搬送ライン４に沿って連続的に搬送され、その搬送方向上手側において、２本のモールロール７により各基板１の裏面３に防水剤６が塗布される。
各モールロール７は、柔らかくて防水剤６を十分に吸収するように構成されているので、図３の（イ）と（ロ）に示すように、たとえ基板１が反っていても、その基板１の裏面３の全面に接触して防水剤６を十分に、換言すると、基板１の裏面３の全面にわたって必要量以上の防水剤６を塗布することになる。
そして、図３の（ハ）と（ニ）に示すように、搬送方向下手側において、２本のスポンジロール８が各基板１の裏面３に作用して、必要量以上に塗布された防水剤６の一部を取り除くとともに、全体を均して裏面３を仕上げることになり、スポンジロール８の外周に付着した防水剤６は、各スポンジロール８の外周に接触する絞りロール９によって絞り取られることになる。
【００１８】
〔別実施形態〕
（１）先の実施形態では、２本のモールロール７と２本のスポンジロール８を使用した例を示したが、モールロール７とスポンジロール８の使用本数については適宜変更が可能であり、１本以上のモールロール７と１本以上のスポンジロール８を使用して実施することもできる。
また、モールロール７とスポンジロール８の横幅Ｄを基板１の横幅ｄよりも長くした例を示したが、これらモールロール７やスポンジロール８を基板１の横幅ｄよりも短い単位ロールで構成することもできる。
【００１９】
例えば、モールロール７を例にとって説明すると、図４に示すように、搬送ライン４の平面視において、基板１の横幅ｄよりも短い横幅ｄ１を有する３本の単位モールロール７ａを搬送ライン４の搬送方向に直交する方向に、かつ、搬送ライン４の搬送中心線を中心として左右対称になるように配設して実施することもでき、単位モールロール７ａの本数については、特に３本に限らず、２本あるいは４本以上の単位モールロール７ａで構成することができる。
ただし、その場合には、各単位モールロール７ａの端部どうしが、搬送ライン４の搬送方向視において互いに重複するように、かつ、単位モールロール７ａの全横幅が、先の実施形態におけるモールロール７の横幅Ｄと同じ長さ、つまり、基板１の横幅ｄよりも長くなるように構成する必要がある。
【００２０】
（２）先の実施形態では、塗布ロールの一例として、鉄心１０の周りに繊維材１１を巻き付けたモールロール７を示したが、例えば、鉄心１０に軟質のスポンジを巻き付けたスポンジロールにより塗布ロールを構成することもでき、塗布ロールや仕上げロールの具体的な構成については、種々の変更が可能である。
【図面の簡単な説明】
【図１】建築用外装板の塗装設備の縦断側面図
【図２】建築用外装板の塗装設備の平面図
【図３】建築用外装板の塗装設備の作用を示す要部の正面図
【図４】別の実施形態による建築用外装板の塗装設備の平面図
【図５】従来の建築用外装板の塗装設備を示す平面図
【図６】従来の建築用外装板の塗装設備の作用を示す正面図
【符号の説明】
１          基板
３          基板の裏面
４          搬送ライン
６          防水剤
７，７ａ    塗布ロール
８          仕上げロール
９          絞りロール
Ｄ          塗布ロールと仕上げロールの横幅
ｄ          基板の横幅
【図１】
0004722335.tif 000002
【図２】
0004722335.tif 000003
【図３】
0004722335.tif 000004
【図４】
0004722335.tif 000005
【図５】
0004722335.tif 000006
【図６】
0004722335.tif 000007